(57)【要約】【課題】ユーザ毎にエラー情報表示装置のエラー情報の表示を任意に設定できる電子部品実装システムのエラー情報の表示方法を提供することを目的とする。【解決手段】電子部品実装システムを製造メーカからユーザへ出荷する時点においては、エラー情報表示装置（画像表示装置１、シグナルタワー２、ホストコンピュータ３）におけるエラー情報の表示の設定を、電子部品実装装置から出力されるエラーコードと前記エラー情報表示装置が表示するエラー情報とが対になったエラーコード変換テーブル12を用いて、ユーザ側からの要望に合わせた設定または製造メーカ側で予め決められた設定で出荷し、製造メーカから出荷後に、ユーザでエラー情報表示装置におけるエラー情報の表示の設定変更を行う必要が発生した場合には、ユーザによりエラーコード変換テーブル12を用いてエラー情報表示装置におけるエラー情報の表示を設定変更可能とする。【選択図】図１
2006146970.tif 000002
【特許請求の範囲】
【請求項１】
電子部品実装装置と、前記電子部品実装装置にエラーが発生した場合にエラー情報の表示を行うエラー情報表示手段とから構成され、前記エラー情報表示手段として、ユーザにより任意にエラー情報の表示の設定変更の可能性があるエラー情報表示手段を有する電子部品実装システムにおける、前記エラー情報表示手段に対するエラー情報の表示方法であって、
前記電子部品実装システムの製造メーカにおいて前記電子部品実装システムを前記ユーザへ出荷する時点においては、前記エラー情報表示手段におけるエラー情報の表示の設定を、前記電子部品実装システム内のエラーを特定する情報と前記エラー情報表示手段に表示するエラー情報とが対になったテーブルを用いて、前記ユーザ側からの要望に合わせた設定または製造メーカ側で予め決められた設定で出荷し、
前記製造メーカから出荷後に、前記ユーザにおいて前記エラー情報表示手段におけるエラー情報の表示の設定変更を行う必要が発生した場合には、ユーザにより前記テーブルを用いて、前記エラー情報表示手段におけるエラー情報の表示を設定変更可能としたこと
を特徴とする電子部品実装システムのエラー情報の表示方法。
【請求項２】
前記エラー情報表示手段におけるエラー情報の表示の設定をユーザにより変更する場合に、前記電子部品実装システム内のエラーを特定する情報と前記エラー情報表示手段に表示するエラー表示情報とが対になったテーブルを、入力変換手段を用いて変更することにより、前記エラー情報表示手段におけるエラー情報の表示をユーザにより設定変更可能としたこと
を特徴とする請求項１に記載の電子部品実装システムのエラー情報の表示方法。
【請求項３】
前記エラー情報表示手段が複数あり、前記エラー情報表示手段におけるエラー情報の表示の設定をユーザにより変更する場合に、前記電子部品実装システム内のエラーを特定する情報と前記複数のエラー情報表示手段がそれぞれに表示するエラー表示情報とが対になったテーブルを、入力変換手段を用いて変更することにより、前記複数のエラー情報表示手段におけるエラー情報の表示をユーザにより設定変更可能としたこと
を特徴とする請求項１に記載の電子部品実装システムのエラー情報の表示方法。
【請求項４】
前記入力変換手段を用いて前記テーブルを変更するとき、表示される前記テーブルを見ながら変更可能としたこと
を特徴とする請求項２または請求項３に記載の電子部品実装システムのエラー情報の表示方法。
【請求項５】
請求項１〜請求項４のいずれか１項のエラー情報の表示方法を有する電子部品実装システム。
【請求項６】
前記エラー情報表示手段として、画面上にエラーメッセージを表示する画像表示装置、点灯したランプの色によりエラー情報を表示するシグナルタワー、エラー情報を通知するホストコンピュータの内少なくとも一つを有すること
を特徴とする請求項５に記載の電子部品実装システム。
【請求項７】
電子部品を基板に実装可能な電子部品実装装置と、前記電子部品実装装置にエラーが発生した場合にエラー情報の表示を行うエラー情報表示手段と、前記エラー情報表示手段におけるエラー情報の表示を設定変更可能なように前記電子部品実装装置内のエラーを特定する情報と前記エラー情報表示手段に表示するエラー表示情報とが対になったテーブルとからなる電子部品実装システム。
【発明の詳細な説明】
【技術分野】
【０００１】
本発明は、電子部品実装システム、特に基板に電子部品を実装する電子部品実装装置におけるエラー情報の表示装置に関するものである。
【背景技術】
【０００２】
従来、電子部品実装システムは、電子部品実装装置と、その近傍に配置され、電子部品実装装置にエラーが発生した場合にエラー情報の表示を行うエラー情報表示装置（エラー情報を表示するエラー情報表示手段）とから構成されているのが一般的である。そして、エラー情報表示装置をどのように構成し、どのように電子部品実装装置に発生したエラー情報を表示させるかどうかは、電子部品実装システムのユーザ側からの要望に合わせて電子部品実装システムの製造メーカ側で設定されるか、あるいは製造メーカ側で予め決められた設定とされており、このように設定された後、ユーザへ向けて出荷される。
【０００３】
以下、従来のエラー情報表示装置を有する電子部品実装システムの要部構成について図４を用いて説明する。
図４に示すように、従来のエラー情報表示装置は、エラー情報を表示する表示手段である、画像表示装置１、シグナルタワー２、およびホストコンピュータ３から構成されている。
【０００４】
画像表示装置（たとえば、ＣＲＴ）１は、画面上にエラーメッセージを表示し、前記シグナルタワー２は、点灯したランプの色によりエラー情報を表示し、また前記ホストコンピュータ３は、エラー情報を通知する。
【０００５】
また図４において、４は、エラーコード生成手段を形成する電子部品実装装置のコントローラであり、電子部品実装装置にエラーが発生すると、それぞれのエラーを特定する情報（エラーの内容、種別など）をエラーコードとして出力する。
【０００６】
また５は電子部品実装装置のエラーコード処理手段であり、このエラーコード処理手段５には、装置コントローラ４から出力されるエラーコードに対する、画像表示装置１、シグナルタワー２、およびホストコンピュータ３それぞれの各エラー情報（エラーメッセージ、点灯ランプの色、およびホストコマンド）の表示内容が固定的に記載されており（たとえば、ソースプログラムとして記載されており）、エラーコード処理手段５は、各エラー情報の表示内容を画像表示装置１、シグナルタワー２、およびホストコンピュータ３へ出力する。
【０００７】
以上のように構成された従来の電子部品実装システムにおけるエラー情報の表示方法について、図５に示すフローチャートを参照しながら説明する。
まず、電子部品実装装置においてエラーが発生すると（ステップ−１）、装置コントローラ４は、発生したエラーに対応するエラーコード（たとえば、”０００１”）を生成し、エラーコード処理手段５へ出力する（ステップ−２）。このエラーコードを入力したエラーコード処理手段５は、エラーコード”０００１”に対応するエラー表示情報（たとえば、エラーメッセージ“設備動作エラー”、シグナルタワー“赤点灯”、ホストコマンド“Ｒ０１”）を生成し、画像表示装置１、シグナルタワー２、およびホストコンピュータ３へ出力する（ステップ−３）。それぞれの画像表示装置１、シグナルタワー２、およびホストコンピュータ３は、エラー表示情報にてエラー情報を表示する（ステップ−４）。
【０００８】
このように、従来の電子部品実装システムにおけるエラー情報の表示は、エラーコード処理手段５に固定的に記載された、エラーコードに対する、画像表示装置１、シグナルタワー２、およびホストコンピュータ３それぞれの各エラー情報（エラーメッセージ、点灯ランプの色、およびホストコマンド）の表示内容に基づいて、画面表示装置１へのエラーメッセージ表示、シグナルタワー２による点灯表示、ホストコンピュータ３へのエラー通知などにより行われている。
【発明の開示】
【発明が解決しようとする課題】
【０００９】
しかしながら、従来の電子部品実装システムでは、エラーコードに対して、エラー表示内容が固定なため、ユーザ毎でのエラーメッセージ設定やシグナルタワーの色、点灯点滅条件などを任意に設定できないという問題があった。
【００１０】
そこで、本発明は、ユーザ毎にエラー情報表示装置のエラー情報の表示を任意に設定できる電子部品実装システムのエラー情報の表示方法およびそれを有する電子部品実装システムを提供することを目的とする。
【課題を解決するための手段】
【００１１】
本発明の電子部品実装システムのエラー情報の表示方法においては、電子部品実装装置と、前記電子部品実装装置にエラーが発生した場合にエラー情報の表示を行うエラー情報表示手段とから構成され、前記エラー情報表示手段として、ユーザにより任意にエラー情報の表示の設定変更の可能性があるエラー情報表示手段を有する電子部品実装システムにおける、前記エラー情報表示手段に対するエラー情報の表示方法であって、前記電子部品実装システムの製造メーカにおいて前記電子部品実装システムを前記ユーザへ出荷する時点においては、前記エラー情報表示手段におけるエラー情報の表示の設定を、前記電子部品実装システム内のエラーを特定する情報と前記エラー情報表示手段に表示するエラー情報とが対になったテーブルを用いて、前記ユーザ側からの要望に合わせた設定または製造メーカ側で予め決められた設定で出荷し、前記製造メーカから出荷後に、前記ユーザにおいて前記エラー情報表示手段におけるエラー情報の表示の設定変更を行う必要が発生した場合には、ユーザにより前記テーブルを用いて、前記エラー情報表示手段におけるエラー情報の表示を設定変更可能としたこととしたものである。
【００１２】
この本発明によれば、ユーザ毎にエラー情報表示手段のエラー情報の表示を任意に設定できる電子部品実装システムのエラー情報の表示方法が得られる。
【発明の効果】
【００１３】
本発明の電子部品実装システムのエラー情報の表示方法は、ユーザにより任意に、エラー情報の表示の設定変更の可能性があるエラー情報表示手段におけるエラー情報の表示を設定変更できる、という有利な効果を有している。
【発明を実施するための最良の形態】
【００１４】
本発明の請求項１に記載の電子部品実装システムのエラー情報の表示方法は、電子部品実装装置と、前記電子部品実装装置にエラーが発生した場合にエラー情報の表示を行うエラー情報表示手段とから構成され、前記エラー情報表示手段として、ユーザにより任意にエラー情報の表示の設定変更の可能性があるエラー情報表示手段を有する電子部品実装システムにおける、前記エラー情報表示手段に対するエラー情報の表示方法であって、前記電子部品実装システムの製造メーカにおいて前記電子部品実装システムを前記ユーザへ出荷する時点においては、前記エラー情報表示手段におけるエラー情報の表示の設定を、前記電子部品実装システム内のエラーを特定する情報と前記エラー情報表示手段に表示するエラー情報とが対になったテーブルを用いて、前記ユーザ側からの要望に合わせた設定または製造メーカ側で予め決められた設定で出荷し、前記製造メーカから出荷後に、前記ユーザにおいて前記エラー情報表示手段におけるエラー情報の表示の設定変更を行う必要が発生した場合には、ユーザにより前記テーブルを用いて、前記エラー情報表示手段におけるエラー情報の表示を設定変更可能としたものであり、エラー情報表示手段におけるエラー情報（たとえば、エラーメッセージ、シグナルタワーの点灯ランプの色や点滅条件、ホストコマンド）の表示を、ユーザ毎に任意に設定変更できるという作用を有する。
【００１５】
請求項２に記載の発明は、請求項１記載の電子部品実装システムのエラー情報の表示方法であって、前記エラー情報表示手段におけるエラー情報の表示の設定をユーザにより変更する場合に、前記電子部品実装システム内のエラーを特定する情報と前記表示手段に表示するエラー表示情報とが対になったテーブルを、入力変換手段を用いて変更することにより、前記エラー情報表示手段におけるエラー情報の表示をユーザにより設定変更可能としたものであり、エラー情報表示手段におけるエラー情報の表示を、入力変換手段を用いてユーザにて任意に入力、変更、および追加が行えるという作用を有する。
【００１６】
請求項３に記載の発明は、請求項１記載の電子部品実装システムのエラー情報の表示方法であって、前記エラー情報表示手段が複数あり、前記エラー情報表示手段におけるエラー情報の表示の設定をユーザにより変更する場合に、前記電子部品実装システム内のエラーを特定する情報と前記複数の表示手段がそれぞれに表示するエラー表示情報とが対になったテーブルを、入力変換手段を用いて変更することにより、前記複数のエラー情報表示手段におけるエラー情報の表示をユーザにより設定変更可能としたものであり、複数のエラー情報表示手段におけるエラー情報の表示を、入力変換手段を用いてユーザにて任意に入力、変更、および追加が行えるという作用を有する。
【００１７】
請求項４に記載の発明は、請求項２または請求項３に記載の電子部品実装システムのエラー情報の表示方法であって、前記入力変換手段を用いて前記テーブルを変更するとき、表示される前記テーブルを見ながら変更可能としたものであり、エラー情報表示手段におけるエラー情報の表示を、入力変換手段を用いて、表示される前記テーブルを見ながらユーザにて任意に入力、変更、および追加が行えるという作用を有する。
【００１８】
請求項５に記載の発明は、請求項１〜請求項４のいずれか１項のエラー情報の表示方法を有する電子部品実装システムである。
請求項６に記載の電子部品実装システムは、前記エラー情報表示手段として、画面上にエラーメッセージを表示する画像表示装置、点灯したランプの色によりエラー情報を表示するシグナルタワー、エラー情報を通知するホストコンピュータの内少なくとも一つを有する。
【００１９】
請求項７に記載の電子部品実装システムは、電子部品を基板に実装可能な電子部品実装装置と、前記電子部品実装装置にエラーが発生した場合にエラー情報の表示を行うエラー情報表示手段と、前記エラー情報表示手段におけるエラー情報の表示を設定変更可能なように前記電子部品実装装置内のエラーを特定する情報と前記エラー情報表示手段に表示するエラー表示情報とが対になったテーブルとからなる。
【００２０】
以下、本発明の実施の形態について図１から図３を用いて説明する。なお、従来の技術の図４の構成と同一の構成には同一の符号を付して説明を省略する。
［実施の形態１］
図１は、本発明の実施の形態１における電子部品実装システムのエラー情報の表示方法を有する電子部品実装システムの要部構成図である。
【００２１】
図１において、11は、従来のエラーコード処理手段５に代えて、電子部品実装装置に設けた、コンピュータからなるエラーコード処理コントローラであり、このエラーコード処理コントローラ11は、装置コントローラ４から出力されるエラーコード（エラーを特定する情報）と画像表示装置１、シグナルタワー２、およびホストコンピュータ３が表示するエラー情報（エラー表示情報）とが対になったエラーコード変換テーブル12と、このテーブル12を参照してエラーコードに対応したエラー表示情報へ変換するエラーコード変換手段13から構成されており、入力したエラーコードに対してエラーコード変換テーブル12を参照して各エラー情報の表示内容を決定する。
【００２２】
以上のように構成されたエラーコード処理コントローラ11によるエラー情報表示装置におけるエラー情報の表示方法について、図２に示すフローチャートを参照しながら説明する。
【００２３】
まず、電子部品実装装置においてエラーが発生すると（ステップ−１）、装置コントローラ４は、発生したエラーに対応するエラーコード（たとえば、”０００１”）を生成し、エラーコード処理コントローラ11へ出力する（ステップ−２）。
【００２４】
そのエラーコードを入力したエラーコード処理コントローラ11のエラーコード変換手段13は、エラーコードによりエラーコード変換テーブル12を参照して（ステップ−３）、エラーコード”０００１”に対応したエラー表示情報（たとえば、画像表示装置１のエラーメッセージ“設備動作エラー”、シグナルタワー２の“赤点灯”、ホストコンピュータ３のホストコマンド“Ｒ０１”）を取得する（ステップ−４）。画像表示装置１、シグナルタワー２、およびホストコンピュータ３は、それぞれのエラー表示情報を表示する（ステップ−５）。
【００２５】
このように、従来のエラーコード処理手段５をエラーコード変換手段13とエラーコード変換テーブル12に分けたことにより、エラーコード変換テーブル12の変更のみで、エラー情報の表示内容を変更することができる。すなわち、電子部品実装システムの製造メーカにおいて電子部品実装システムをユーザへ出荷する時点においては、エラー情報表示装置（上記画像表示装置１、シグナルタワー２、ホストコンピュータ３）におけるエラー情報の表示の設定を、エラーコード変換テーブル12を用いて、ユーザ側からの要望に合わせた設定または製造メーカ側で予め決められた設定で出荷し、製造メーカから出荷後に、ユーザにおいてエラー情報表示装置におけるエラー情報の表示の設定変更を行う必要が発生した場合には、エラー情報表示装置におけるエラー情報（たとえば、画像表示装置１のエラーメッセージ“設備動作エラー”、シグナルタワー２の“赤点灯”、ホストコンピュータ３のホストコマンド“Ｒ０１”）の表示を、エラーコード変換テーブル12を用いてエラー情報表示装置が表示するエラー情報（エラー表示情報）を変更することにより、ユーザにより任意に設定変更することができる。これにより、ソースプログラムの変更なしに点灯状態などのエラー情報の表示内容を設定でき、製造メーカは、ソフトウェアをユーザごとに開発するコストを削減することができる。
［実施の形態２］
図３は、本発明の実施の形態２における電子部品実装システムのエラー情報の表示方法を有する電子部品実装システムの要部構成図である。上記実施の形態１の図１の構成と同一の構成には同一の符号を付して説明を省略する。
【００２６】
図３において、14はエラーコード変換テーブル12に対して、エラーコードの追加、表示情報の変更を行うエラーコード変換テーブル入力変更手段であり、キーボードなどにより形成される。このエラーコード変換テーブル入力変更手段14により、ユーザは、任意に、たとえば画像表示装置により表示されるエラーコード変換テーブル12の内容を見ながら、画像表示装置１のエラーメッセージ設定やシグナルタワー２の色、点灯点滅条件などを変更できる。エラーコード変換テーブル12を変更した場合、新たに発生したエラーに関しては、エラーコード変換手段13が、変更後のエラーコード変換テーブル12を参照し、変更後のエラー情報を表示する。
【００２７】
このようにエラー情報表示装置（上記画像表示装置１、シグナルタワー２、ホストコンピュータ３）におけるエラー情報の表示の設定をユーザにより変更する場合に、電子部品実装システム内のエラーを特定する情報とエラー情報表示装置に表示するエラー表示情報とが対になったエラーコード変換テーブル12を、エラーコード変換テーブル入力変更手段14を用いて変更することにより、エラー情報表示装置におけるエラー情報の表示をユーザにより任意に入力、変更、および追加を行うことができる。
【図面の簡単な説明】
【００２８】
【図１】本発明の実施の形態１における電子部品実装システムのエラー情報の表示方法を有する電子部品実装システムの要部構成図である。
【図２】同電子部品実装システムのエラーコード処理コントローラによるエラー情報表示装置におけるエラー情報の表示方法を説明するフローチャートである。
【図３】本発明の実施の形態２における電子部品実装システムのエラー情報の表示方法を有する電子部品実装システムの要部構成図である。
【図４】従来のエラー情報表示装置を有する電子部品実装システムの要部構成図である。
【図５】従来の電子部品実装システムにおけるエラー情報の表示方法を説明するフローチャートである。
【符号の説明】
【００２９】
１    画像表示装置（エラー情報表示手段）
２    シグナルタワー（エラー情報表示手段）
３    ホストコンピュータ（エラー情報表示手段）
４    装置コントローラ（エラーコード生成手段）
11    エラーコード処理コントローラ
12    エラーコード変換テーブル
13    エラーコード変換手段
14    エラーコード変換テーブル入力変更手段
【図１】
2006146970.tif 000003
【図２】
2006146970.tif 000004
【図３】
2006146970.tif 000005
【図４】
2006146970.tif 000006
【図５】
2006146970.tif 000007